(57)【要約】【課題】  形状が類似するために挿入が可能である規格の異なるプラグのジャック部への誤挿入を確実に防止するとともに、規格の一致するプラグについては、市販されているプラグも含めて確実に挿入係止することを可能とする。【解決手段】  ＬＡＮ用ジャック部２０のプラグ挿入部２１の内壁左右両側面に、電話用プラグ４０の誤挿入を防止する一対の誤挿入防止部材３０，３０が設けられており、この誤挿入防止部材３０は、ＬＡＮ用プラグ１０の先端両角部１７，１７によって左右に押し広げられるガイド片３１と、このガイド片３１の先端部に設けられ、電話用プラグ４０の側面４０を支持する支持片３２と、この支持片３２の先端部に設けられ、電話用プラグ４０の先端部を受け止める爪片３３とからなり、電話用プラグ４０がＬＡＮ用ジャック部２０に挿入されたときには、電話用プラグ４０が爪片３３により受け止められることによって挿入が防止される。【選択図】  図２
2006228449.tif 000002
【特許請求の範囲】
【請求項１】
幅の異なる電話用のプラグが挿入可能なＬＡＮ用のジャック部を有するコネクタを備えた電子機器であって、
前記ジャック部の内壁左右両側面に、弾性を有する金属板を屈曲することによって形成された前記電話用プラグの誤挿入を防止する一対の誤挿入防止部材が設けられており、この誤挿入防止部材は、前記ジャック部に適正に挿入されるＬＡＮ用プラグの先端両角部によって左右に押し広げられるガイド片と、このガイド片の先端部に設けられた前記電話用プラグの左右両側面を支持する支持片と、この支持片の先端部に設けられた前記電話用プラグの先端部を受け止める爪片とからなり、かつ、この爪片は前記支持片に対して鋭角に屈曲形成されており、
前記ＬＡＮ用プラグの左右両側面に、挿入方向に沿ってテーパ面を有する凹部が形成されており、
前記電話用プラグが前記ジャック部に挿入されたときには、当該プラグが前記爪片により受け止められることによって挿入が防止されるとともに、鋭角に屈曲形成された前記爪片が当該プラグを若干押し出すように作用し、
前記ＬＡＮ用プラグが前記ジャック部に挿入されたときには、当該ＬＡＮ用プラグにより前記ガイド片が左右に押し広げられて、前記爪片が内壁の左右両側面の外方に押し出されることによってＬＡＮ用プラグが正規の位置まで挿入されるとともに、押し広げられていた前記誤挿入防止部材の爪片が前記凹部に嵌まり込んでＬＡＮ用プラグを挟持することを特徴とする誤挿入防止機能付きコネクタを備えた電子機器。
【請求項２】
幅の異なる他の種類のプラグが挿入可能なジャック部を有するコネクタであって、
前記ジャック部の内壁左右両側面に前記他の種類のプラグの誤挿入を防止する一対の誤挿入防止部材が設けられており、この誤挿入防止部材は、当該ジャック部に適正に挿入される適正プラグの先端両角部によって左右に押し広げられるガイド片と、このガイド片の先端部に設けられた前記他の種類のプラグの左右両側面を支持する支持片と、この支持片の先端部に設けられた前記他の種類のプラグの先端部を受け止める爪片とからなり、
前記他の種類のプラグが前記ジャック部に挿入されたときには、当該プラグが前記爪片により受け止められることによって挿入が防止され、前記適正プラグが前記ジャック部に挿入されたときには、当該適正プラグにより前記ガイド片が左右に押し広げられて、前記爪片が内壁の左右両側面の外方に押し出されることによって正規の位置まで挿入可能に設けられていることを特徴とする誤挿入防止機能を有するコネクタ。
【請求項３】
前記ジャック部がＬＡＮ用のジャック部であり、前記適正プラグがＬＡＮ用のプラグであり、前記他の種類のプラグが電話用のプラグであることを特徴とする請求項３に記載の誤挿入防止機能を有するコネクタ。
【請求項４】
前記誤挿入防止部材が弾性を有する金属板で形成されていることを特徴とする請求項２または請求項３に記載の誤挿入防止機能付きコネクタ。
【請求項５】
前記爪片は、前記支持片に対して鋭角に屈曲形成されており、前記他の種類のプラグを受け止めたとき、当該プラグを若干押し出すように作用することを特徴とする請求項４に記載の誤挿入防止機能付きコネクタ。
【請求項６】
前記正規プラグの左右両側面に、挿入方向に沿ってテーパ面を有する凹部が形成されており、前記正規プラグが前記ジャック部の正規の位置まで挿入されたとき、押し広げられていた前記誤挿入防止部材の爪片が前記凹部に嵌まり込んで正規プラグを挟持することを特徴とする請求項２ないし請求項５のいずれかに記載の誤挿入防止機能付きコネクタ。
【請求項７】
前記請求項２ないし請求項５のいずれかに記載の誤挿入防止機能付きコネクタを備えた電子機器。
【発明の詳細な説明】
【技術分野】
【０００１】
本発明は、幅の異なる電話用プラグが挿入可能な構造のＬＡＮ（local area network）用のジャック部を有する誤挿入防止機能付きコネクタ及びこのコネクタを備えた電子機器に関する。
【背景技術】
【０００２】
パーソナルコンピュータ等の電子機器には、その側面や背面等に、電話回線に接続するための電話用のコネクタや、ＬＡＮに接続するためのＬＡＮ用のコネクタが設けられている。
【０００３】
この場合、電話用のコネクタの形状はＬＡＮ用のコネクタの形状に類似している。すなわち、高さがほぼ同じで、その幅がＬＡＮ用コネクタの方が電話用コネクタより幅広になっている。
【０００４】
図７は、ＬＡＮ用のコネクタの形状及び構造を示しており、（ａ）はＬＡＮ用プラグの外観斜視図、（ｂ）はＬＡＮ用プラグをＬＡＮ用ジャック部に挿入した状態を示す概略断面図である。
【０００５】
すなわち、配線ケーブル１９の他端に取り付けられＬＡＮ用プラグ１０を、ＬＡＮ用ジャック部２０のプラグ挿入部２１に差し込む構造となっている。
【０００６】
ＬＡＮ用プラグ１０は、幅広の直方体形状に形成されており、電極部が内部に露出する形でその全体が樹脂材料等で構成されている。ＬＡＮ用プラグ１０は、その前端部の下辺付近から後向に延設されたアーム部１２を備えており、このアーム部１２は、弾性部１３と段差部１４ａを有する係止部１４とで形成されている。アーム部１２は、上方に押し上げても弾性部１３の反発作用によって元に戻るようになっている。また、ＬＡＮ用プラグ１０の前端部の上辺付近には、櫛歯状の切り込み部１５が形成されており、その内壁面に電極１６が露出して設けられている。
【０００７】
一方、配線ケーブル２９が接続されたＬＡＮ用ジャック部２０も直方体形状に形成されており、その一端面にプラグ挿入部２１が形成されている。プラグ挿入部２１の内壁下面には、段差部２２ａを有する係止部２２が設けられているとともに、内壁上面には、ＬＡＮ用プラグ１０に設けられた電極１６と接触する位置に電極２６が設けられている。ＬＡＮ用プラグ１０は、このＬＡＮ用ジャック部２０のプラグ挿入部２１に差し込むことができる寸法に形成されている。
【０００８】
そして、ＬＡＮ用プラグ１０をＬＡＮ用ジャック部２０のプラグ挿入部２１に差し込むと、プラグ挿入部２１の開口下端部に弾性部１３が摺接して変形し、アーム部１２が上方に押し上げられる。そして、ＬＡＮ用プラグ１０が正規の位置（図７（ｂ）に示す位置）まで差し込まれると、弾性部１３の反発力によってアーム部１２が下方に変位し、ＬＡＮ用プラグ１０の係止部１４とＬＡＮ用ジャック部２０の係止部２２とが互いの段差部１４ａ，２２ａで係合する。これにより、ＬＡＮ用プラグ１０は、ＬＡＮ用ジャック部２０からの抜けが防止され、ＬＡＮ用ジャック部２０内に差し込まれた状態で確実に固定されることになる。そして、この状態において、ＬＡＮ用プラグ１０の切り込み部１５内に露出していた電極１６とＬＡＮ用ジャック部２０のプラグ挿入部２１内に設けられた電極２６とが接触し、両者の導通が得られるようになっている。
【０００９】
このようなＬＡＮ用プラグ１０とＬＡＮ用ジャック部２０との接続構造では、ＬＡＮ用プラグ１０をＬＡＮ用ジャック部２０に差し込むだけで両者の接続が行われ、自動的に固定される。
【００１０】
一方、図示は省略しているが、電話用のコネクタの形状及び構造も、上記ＬＡＮ用のコネクタの形状及び構造と略同じであり、異なるところは、上記したようにその幅が、ＬＡＮ用コネクタの方が電話用コネクタより幅広に形成されている点である。つまり、上記ＬＡＮコネクタの接続構造では、ＬＡＮ用ジャック部２０には、ＬＡＮ用プラグ１０だけでなく、電話用プラグも差し込むことが可能であり、かつ、正規の位置まで挿入されると、電話用プラグのアーム部が下方に変位し、電話用プラグの係止部とＬＡＮ用ジャック部２０の係止部２２とが互いに係合することになる。すなわち、ＬＡＮ用ジャック部に電話用プラグを誤って差し込んでしまうといった誤挿入が発生するといった問題があった。そして、このような誤挿入が行われた場合には、機器が正常に動作しないだけでなく、機器故障の原因になる可能性があるといった問題もあった。
【００１１】
そこで、このようなプラグの誤挿入を防止した機構を備えたコネクタ構造が提案されている（例えば、特許文献１，２参照）。
【００１２】
上記特許文献１のコネクタは、図示は省略しているが、本体側コネクタを取り付けるための穴部に、その下側右端部及び下側左端部が背面パネルの外側に突出するように折り曲げられてなる第１及び第２の爪部を設ける一方、これに接続されるケーブル側コネクタには、これら第１及び第２の爪部が嵌合される第１及び第２の穴部を設け、これら穴部に爪部が嵌合されることで、本体側コネクタにケーブル側コネクタが接続可能な構成となっている。そして、このケーブル側コネクタとは類似のコネクタには、このような穴部を設けないことにより、当該類似のコネクタを上記本体側コネクタに取り付けたときには、上記爪部が類似のコネクタに当接して挿入を防止するようになっている。
【００１３】
また、上記特許文献２のコネクタは、図８に示すように、カバー体１０２を支持柱１０３，１０４によって可動可能に支持することにより左右両開きできる構造とし、右斜め上あるいは左斜め上から相手方のモジュラープラグ１１５の装着を可能とするものである。具体的には、軸１１１にカバー体１０２が軸支される状態でモジュラープラグ１１５を右斜め上方向から装着する。逆に軸１２３でカバー体１０２を軸支することで、左斜め上方向からのモジュラープラグの装着が行えるものである。このようなコネクタ構造によれば、例えば右斜め上方からのモジュラープラグの装着及び左斜め上方からのモジュラープラグの装着が選択できる。このため、一方からモジュラープラグが挿入されているときには、他方からのモジュラープラグの挿入が防止され、同時に使用することがない異なる規格のコネクタの誤挿入が防止できるようになっている。
【特許文献１】特開２０００−２５０６５６号公報
【特許文献２】特開２００２−２１６９１１号公報
【発明の開示】
【発明が解決しようとする課題】
【００１４】
上記特許文献１の構造によれば、規格の異なるケーブル側コネクタの誤挿入を確実に防止することができる。しかし、この構造では、ケーブル側コネクタ及び本体側コネクタの双方に誤挿入防止用の機構構造を形成する必要があり、一般に市販されているケーブル側コネクタを使用することができないといった問題があった。つまり、一般に市販されているケーブル側コネクタには、上記特許文献１のような爪部に対応する穴部が形成されていないため、規格が一致しているにも係わらず挿入することができないといった問題が発生する。
【００１５】
また、上記特許文献２の構造によれば、一方からモジュラープラグが挿入されているときには、他方からのモジュラープラグの挿入が防止されるため、規格の異なるプラグの同時挿入は確実に防止できるようになっている。しかし、カバー体１０２が開かれた一方のジャック部に規格の異なる別のモジュラープラグを挿入するといった形の誤挿入については、上記特許文献２の構造では防止することができないといった問題があった。
【００１６】
本発明はかかる実情に鑑みて創案されたもので、その目的は、形状が類似するために挿入が可能である規格の異なるプラグのジャック部への誤挿入を確実に防止するとともに、規格の一致するプラグについては、市販されているプラグも含めて確実に挿入係止することのできる誤挿入防止機能付きプラグ及びそのプラグを搭載した電子機器を提供することにある。
【課題を解決するための手段】
【００１７】
上記課題を解決するため、本発明の誤挿入防止機能付きプラグは、幅の異なる他の種類のプラグが挿入可能なジャック部を有するコネクタであって、前記ジャック部の内壁左右両側面に前記他の種類のプラグの誤挿入を防止する一対の誤挿入防止部材が設けられており、この誤挿入防止部材は、当該ジャック部に適正に挿入される適正プラグの先端両角部によって左右に押し広げられるガイド片と、このガイド片の先端部に設けられた前記他の種類のプラグの左右両側面を支持する支持片と、この支持片の先端部に設けられた前記他の種類のプラグの先端部を受け止める爪片とからなり、前記他の種類のプラグが前記ジャック部に挿入されたときには、当該プラグが前記爪片により受け止められることによって挿入が防止され、前記適正プラグが前記ジャック部に挿入されたときには、当該適正プラグにより前記ガイド片が左右に押し広げられて、前記爪片が内壁の左右両側面の外方に押し出されることによって正規の位置まで挿入可能に設けられていることを特徴とする。ここで、本発明では、前記ジャック部はＬＡＮ用のジャック部であり、前記適正プラグはＬＡＮ用のプラグである。また、前記他の種類のプラグは電話用のプラグである。
【００１８】
このような特徴を有する本発明によれば、ＬＡＮ用ジャック部に誤って電話用プラグを挿入した場合には、双方の電極同士が接触する正規の位置に到達する前に、電話用プラグの先端部が誤挿入防止部材の爪片に受け止められる。これにより、電話用プラグの誤挿入が確実に防止される。また、双方の電極同士が接触する正規の位置に到達する前に、電話用プラグの挿入が規制されるので、機器の故障といった事態の発生も防止することができる。一方、ＬＡＮ用ジャック部にＬＡＮ用プラグが挿入された場合には、ＬＡＮ用プラグの先端部が爪片に到達する前に、ＬＡＮ用プラグにより誤挿入防止部材のガイド片が左右に押し広げられて、爪片が内壁の左右両側面の外方に押し出されるため、正規のプラグについては正規の位置まで確実に挿入することが可能な構造となっている。上記構造からも分かるように、本発明では、プラグ側には何ら加工を施す必要がないため、市販されている全てのプラグに対して正規挿入を確実に確保しつつ、誤挿入については確実に防止することができる構造となっている。
【００１９】
ここで、前記誤挿入防止部材は、弾性を有する金属板で形成してもよい。ＬＡＮ用ジャック部は、ケース本体が一般的に樹脂成形で形成される場合が多いため、誤挿入防止部材をこの樹脂成形時に一体的に成形することも可能である。ただし、この場合には金型構造が複雑になるといった問題や、非常に小さき部材であるため強度的な問題もある。そのため、これらを考慮すれば、誤挿入防止部材は、弾性を有する金属板で形成し、樹脂成形後のケース本体に別途取り付けるように構成することが望ましい。ただし、強度が確保できれば、樹脂の一体成形で誤挿入防止部材を形成しても良いことは当然である。
【００２０】
また、本発明によれば、前記爪片を、前記支持片に対して鋭角に屈曲形成しておいてもよい。これにより、ユーザによって押し込まれた電話用プラグを爪片で受け止めたとき、電話用プラグが爪片の先端部に当たって当該爪片を若干押し込むように変形させるため、その弾発力によって当該プラグが若干押し出されるように作用する。これにより、ユーザは、押し込んだはずのプラグが若干押し戻される感触を得ることができるため、プラグの誤挿入を確実に認識することができる。
【００２１】
さらに、本発明によれば、前記正規プラグの左右両側面に、挿入方向に沿ってテーパ面を有する凹部が形成されており、前記正規プラグが前記ジャック部の正規の位置まで挿入されたとき、押し広げられていた前記誤挿入防止部材の爪片が前記凹部に嵌まり込んで正規プラグを挟持する構造としてもよい。すなわち、本発明では、誤挿入防止部材を、単なるプラグの誤挿入防止のみに使用するのではなく、正規のプラグが挿入されたときには、その正規のプラグを保持する機能も持たせたものである。これにより、例えば図７に示すアーム部１２が折れてしまった場合でも、正規のプラグをジャック部内に保持するためのある程度の保持力を確保することができる。
【００２２】
また、このような構成の誤挿入防止機能付きコネクタをパーソナルコンピュータや、通信機能を有するデジタル複写機等のＯＡ機器、携帯電話やＰＤＡ等の携帯型情報処理端末、警報システム等に用いられる監視カメラ装置等、ＬＡＮコネクタを有する各種電子機器に搭載することで、これら電子機器への規格の異なるプラグの誤挿入を確実に防止することが可能となる。
【発明の効果】
【００２３】
本発明によれば、ＬＡＮ用ジャック部に誤って電話用プラグを挿入した場合には、双方の電極同士が接触する正規の位置に到達する前に、電話用プラグの先端部が誤挿入防止部材の爪片に受け止められる。これにより、電話用プラグの誤挿入が確実に防止される。また、双方の電極同士が接触する正規の位置に到達する前に、電話用プラグの挿入が規制されるので、機器の故障といった事態の発生も防止することができる。また、本発明では、プラグ側には何ら加工を施す必要がないため、市販されている全てのプラグに対して正規挿入を確実に確保しつつ、誤挿入については確実に防止することができるといった特有の効果を奏する。さらに、このような誤挿入防止機能付きコネクタを電子機器に搭載することで、電子機器への規格の異なるプラグの誤挿入を確実に防止することができる。
【発明を実施するための最良の形態】
【００２４】
以下、本発明の実施の形態について、図面を参照して説明する。なお、本発明の誤挿入防止機能付きコネクタの基本構成は、図７に示した構成と全く同じであるため、同じ機能部材には同符号を付すこととし、ここでは基本構成の説明を省略する。
【００２５】
図１は、本実施形態の誤挿入防止機能付きコネクタの要部構成を示しており、（ａ）はＬＡＮ用ジャック部２０にＬＡＮ用プラグ１０または電話用プラグ４０（ただし、電話用プラグは破線で示されている）を挿入する様子を示す一部切り欠いた状態の上面図、（ｂ）はＬＡＮ用ジャック部２０にＬＡＮ用プラグ１０または電話用プラグ４０（ただし、電話用プラグは破線で示されている）を挿入する様子を示す側面図である。
【００２６】
本実施形態のＬＡＮ用ジャック部２０は、プラグ挿入部２１の内壁左右両側面に、電話用プラグ４０の誤挿入を防止する一対の誤挿入防止部材３０，３０が設けられている。この誤挿入防止部材３０は、弾性を有する金属板を屈曲することによって形成されており、ＬＡＮ用プラグ１０の左右先端角部１７，１７によってそれぞれ左右に押し広げられるガイド片３１と、このガイド片３１の先端部に設けられ、電話用プラグ４０の左右両側面４１，４１を左右両側から支持する支持片３２と、この支持片３２の先端部に設けられ、電話用プラグ４０の先端角部４２を受け止める爪片３３とからなる。なお、図１では、誤挿入防止部材３０と、樹脂成形されるＬＡＮ用ジャック部２０のケース本体とがあたかも一体成形されているように図示されているが、誤挿入防止部材３０は、ケース本体に別途取り付けられている。その取り付け構造としては、例えばケース本体側にスリット状の挿入口を形成しておき、そこに誤挿入防止部材３０のガイド片３１の基端部側を差し込み係止するような構造が考えられる。ただし、このような構造に限定されるものではない。例えば、接着剤による取り付けや、ケース本体を樹脂成形するときに、充填樹脂によって基端部側を埋め込むように金型内に誤挿入防止部材３０をセットしておいて取り付けることも可能である。
【００２７】
対向する両支持片３２，３２の間隔Ｌ１は、電話用プラグ４０の幅と略等しい幅に形成されている。また、爪部３３は、支持片３２に対して略９０度の角度に屈曲形成されており、挿入された電話用プラグ４０の先端角部４２を爪部３３の面で受け止めるように形成されている。
【００２８】
また、ＬＡＮ用ジャック部２０の左右両側面２７，２７には、それぞれ誤挿入防止部材３０，３０に対向して開口部２８，２８が形成されている。この開口部２８は、誤挿入防止部材３０がＬＡＮ用プラグ１０によって左右に押し広げられたときの、プラグ挿入部２１内からの退避空間となっている。
【００２９】
次に、上記構成の誤挿入防止機能付きコネクタにおいて、ＬＡＮ用ジャック部２０に、電話用プラグ４０を挿入した場合と、正規のプラグであるＬＡＮ用プラグ１０を挿入した場合について説明する。
【００３０】
（電話用プラグ４０を挿入した場合）
ＬＡＮ用ジャック部２０に誤って電話用プラグ４０が挿入されると、図２に示すように、電話用プラグ４０は、プラグ挿入部２１内において対向する誤挿入防止部材３０，３０の両支持片３２，３２によって、左右両側面４１，４１が支持された状態でがたつき無く挿入される。そして、この状態でさらに挿入されると、ＬＡＮ用ジャック部２０の電極２６（図７参照）と電話用プラグ４０の図示しない電極とが接触する正規の位置に到達する前に、電話用プラグ４０の左右先端角部４２，４２が誤挿入防止部材３０，３０の爪片３３，３３に受け止められる。図２はこの状態を示している。
【００３１】
これにより、電話用プラグ４０の誤挿入が確実に防止される。また、双方の電極同士が接触する正規の位置に到達する前に、電話用プラグ４０の挿入が規制されるので、この誤挿入防止機能付きコネクタを搭載している電子機器の故障といった事態の発生も防止することができる。
【００３２】
（ＬＡＮ用プラグ１０を挿入した場合）
ＬＡＮ用ジャック部２０にＬＡＮ用プラグ１０が挿入されると、図３（ａ）に示すように、まずＬＡＮ用プラグ１０の左右先端角部１７，１７が左右の誤挿入防止部材３０，３０の各ガイド片３１，３１に当接する。この状態でＬＡＮ用プラグ１０がさらに挿入されると、ＬＡＮ用プラグ１０の左右先端角部１７，１７によってそれぞれのガイド片３１，３１が左右（図３（ａ）では上下）に押し広げられ、図３（ｂ）に示すように、各爪片３３，３３がプラグ挿入部２１の左右両側面２７，２７に形成された各開口部２８，２８内に押し出される。これにより、ＬＡＮ用プラグ１０は、爪片３３，３３に邪魔されることなく正規の位置（図３（ｂ）に示す位置）まで確実に挿入することができる。ここまで挿入されると、図７に示すように、ＬＡＮ用プラグ１０の係止部１４とＬＡＮ用ジャック部２０の係止部２２とが互いの段差部１４ａ，２２ａで係合する。
【００３３】
図４は、誤挿入防止部材３０の他の実施例を示している。
【００３４】
この実施例では、誤挿入防止部材３０の爪片３３が、支持片３２に対して鋭角に屈曲形成されている。このような構成によれば、ユーザによって押し込まれた電話用プラグ４０をこの爪片３３，３３で受け止めたとき、電話用プラグ４０の先端角部４２，４２が爪片３３，３３の先端部３３ａ，３３ａに当たって、当該爪片３３，３３が若干押し込まれるように変形する。そして、この状態でユーザが電話用プラグ４０の押し込みを止めると、今度は変形した爪片３３，３３の弾発力によって電話用プラグ４０が若干押し戻されるように動作する。これにより、ユーザは、押し込んだはずの電話用プラグ４０が若干押し戻される感触を得ることができるため、プラグの誤挿入を確実に認識することができる。
【００３５】
図５は、ＬＡＮ用プラグ１０の他の実施例を示している。
【００３６】
この実施例では、ＬＡＮ用プラグ１０の左右両側面に、挿入方向に沿ってテーパ面を有する凹部１８，１８がそれぞれ形成されたものである。すなわち、ＬＡＮ用プラグ１０がＬＡＮ用ジャック部２０の正規の位置（図６に示す位置）まで挿入されたとき、押し広げられていた誤挿入防止部材３０の爪片３３がこの凹部１８に嵌まり込んでＬＡＮ用プラグ１０を左右両側から挟持する構造としている。
【００３７】
ただし、本実施例では、凹部１８の形状は、誤挿入防止部材３０の爪部３３と、ガイド片３１と支持片３２の境界角部３４とが嵌まり込むように、２山形状の凹部に形成されている。
【００３８】
すなわち、本実施例によれば、誤挿入防止部材３０を、単なる電話用プラグ４０の誤挿入防止のみに使用するのではなく、ＬＡＮ用プラグ１０が挿入されたときには、そのＬＡＮ用プラグ１０を正規の位置で保持する機能も持たせたものである。これにより、例えばアーム部１２（図７参照）が折れてしまった場合でも、ＬＡＮ用プラグ１０をＬＡＮ用ジャック部２０内に保持するためのある程度の保持力を確保することができる。
【図面の簡単な説明】
【００３９】
【図１】本発明の誤挿入防止機能付きコネクタの要部構成を示しており、（ａ）は一部切り欠き上面図、（ｂ）は側面図である。
【図２】電話用プラグをＬＡＮ用ジャック部に挿入した状態を示す一部切欠き上面図である。
【図３】ＬＡＮ用プラグをＬＡＮ用ジャック部に挿入した状態を示す一部切欠き上面図である。
【図４】誤挿入防止部材の他の実施例を示す一部切欠き上面図である。
【図５】ＬＡＮ用プラグの他の実施例を示す上面図である。
【図６】図５に示すＬＡＮ用プラグをＬＡＮ用ジャック部に挿入した状態を示す一部切欠き上面図である。
【図７】ＬＡＮ用のコネクタの基本的な形状及び構造を示しており、（ａ）はＬＡＮ用プラグの外観斜視図、（ｂ）はＬＡＮ用プラグをＬＡＮ用ジャック部に挿入した状態を示す概略断面図である。
【図８】特許文献２に示されているコネクタ構造の概要を示す図である。
【符号の説明】
【００４０】
１０  ＬＡＮ用プラグ
１２  アーム部
１３  弾性部
１４  係止部
１４ａ  段差部
１５  切り込み部
１６  電極
１７  先端角部
１８  凹部
１９  配線ケーブル
２０  ＬＡＮ用ジャック部
２１  プラグ挿入部
２２  係止部
２２ａ  段差部
２６  電極
２７  側面
２８  開口部
２９  配線ケーブル
３０  誤挿入防止部材
３１  ガイド片
３２  支持片
３３  爪片
３３ａ  先端部
３４  境界角部
４０  電話用プラグ
４１  側面
４２  先端角部
【図１】
2006228449.tif 000003
【図２】
2006228449.tif 000004
【図３】
2006228449.tif 000005
【図４】
2006228449.tif 000006
【図５】
2006228449.tif 000007
【図６】
2006228449.tif 000008
【図７】
2006228449.tif 000009
【図８】
2006228449.tif 000010